(57)【特許請求の範囲】
【請求項１】
左右の側枠と、これら両側枠に両側縁がそれぞれ上下回動自在に枢着されたステージ板と、該ステージ板の前端部に上下回動自在に枢着された固定用枠とから構成され、
前記固定用枠は、その上下回動によって前記ステージ板の下面側に重なる折り重ね姿勢と垂下姿勢とに転換可能であり、且つ垂下姿勢において起立状態の前記両側枠に設けられた係止部に係嵌する係合凸部を有し、
前記側枠の少なくとも一方の係止部には、側方突出するレバーを備えて前記固定用枠の係合凸部に対して上下変位により係脱するロック部材と、該ロック部材をロック方向に付勢するばね部材と、該ロック部材のレバーを前記固定用枠に干渉する内向き突出状態から前方突出状態へ旋回可能に配置させるレバーガイド部とからなるロック機構が設けられ、
前記レバーガイド部は、内向き突出状態の前記レバーを前記ばね部材の付勢に抗して前記ロック部材の非ロック位置で保持すると共に、前方突出状態の該レバーを前記ロック部材のロック位置と非ロック位置との間で上下変位可能とする形状を有してなる折畳み式作業台。
【請求項２】
左右両側枠に前記のロック部材とばね部材とレバーガイド部とを有する係止部が設けられてなる請求項１記載の折畳み式作業台。
【請求項３】
ロック部材が垂直に配置したロックピンからなり、固定用枠の係合凸部に該ロックピンの嵌入部を有してなる請求項１又は２に記載の折畳み式作業台。
【請求項４】
左右両側枠の下部に両端をそれぞれ上下回動自在に連結する補強杆が、両側枠の前後一端側のみに設けられてなる請求項１〜３のいずれかに記載の折畳み式作業台。
【請求項５】
両側枠のそれぞれ前後両側に枢支部材が内向きに突設され、これら枢支部材を介して各側枠とステージ板の各側縁とが各側枠のフレームよりも内側で枢着されてなる請求項１〜４のいずれかに記載の折畳み式作業台。
【請求項６】
折畳み状態で左右両側枠を一体に係止固定する折畳み固定具を備えてなる請求項１〜５のいずれかに記載の折畳み式作業台。
【請求項７】
折畳み固定具が、引き込み方向に付勢するばね部材を介してステージ板に進退移動及び旋回自在に保持された基部に、両側枠に対する係止部が一体形成されたものである請求項１〜６のいずれかに記載の折畳み式作業台。
【請求項８】
ステージ板下面の左右両側に、前記折り重ね姿勢の固定用枠を係脱可能に保持する弾性係止片が突設されてなる請求項１〜７のいずれかに記載の折畳み式作業台。
【請求項９】
側枠のロック機構を有する係止部はロック部材及びばね部材を納めたケースを該側枠のフレームに固着して構成され、前記レバーガイド部が前記ケースの内向き面より前側面にわたる開口部よりなり、且つ該開口部の上下縁の一方に前面側の上下幅を大とする段部が形成され、この段部によって、当該開口部より突出したロック部材のレバーが内向き突出状態で非ロック位置に保持されると共に、前方突出状態で上下変位可能になるように設定されてなる請求項１〜８のいずれかに記載の折畳み式作業台。
【発明の詳細な説明】
【０００１】
【発明の属する技術分野】
本発明は、作業者の手が届きにくい比較的高所、例えば室内の壁上部や天井付近に対する軽作業を行う場合に、作業者の踏台として便利に使用できる折畳み式の作業台に関する。
【０００２】
【従来技術とその課題】
室内の壁上部や天井付近に、例えば水洗トイレ用の水タンクや配管、電気配線、照明器具、エアコン、メーター類等を取付けたり、壁塗りや塗装を行う場合等、人の手が届きにくい比較的高所の軽作業に用いる作業台として、従来より折畳み式の脚立が汎用されている。また、近年においては、折畳み及び伸縮可能な脚体に作業者の足場となるステージが設けられ、使用時には脚体を拡開して直立させると共に、不使用時には折畳み形態にできるようにした作業台も提案されている（特開平３−１３６６２号公報）。
【０００３】
しかしながら、脚立はステップが狭い上に立設安定性も悪いため、作業者がその上に載って作業する場合に体勢を変えにくく、作業できる範囲が限られると共に作業自体も行いにくいという問題があった。一方、前記提案の作業台では、ステージ部を広くとれるために脚立よりも作業範囲が広くなり、且つコンパクトな折畳み状態になることから、持ち運び便利で搬送や収納の際に嵩張らず場所をとらないという利点がある反面、コンパクト化を追求するあまりに使用時の脚体の固定強度が不充分となり、しかも脚体の伸縮部でがた付きを生じ易いため、却って不安定さが増すという致命的な欠点があった。
【０００４】
【課題を解決するための手段】
本発明は、上述の状況に鑑み、作業者が乗るステージ部を広くとれ、不使用時にコンパクトな折畳み形態となし得る作業台として、使用形態での固定強度が大きく且つがた付きがなく安定性に優れる上、折畳み形態から使用形態への転換操作を容易に且つ確実に行え、また構造的に簡素なものを提供することを目的としている。
【０００５】
本発明の請求項１に係る折畳み式作業台は、上記目的を達成するために、左右の側枠１，１と、これら両側枠１，１に両側縁がそれぞれ上下回動自在に枢着されたステージ板２と、該ステージ板２の前端部に上下回動自在に枢着された固定用枠３とから構成され、前記固定用枠３は、その上下回動によって前記ステージ板２の下面側に重なる折り重ね姿勢と垂下姿勢とに転換可能であり、且つ垂下姿勢において起立状態の前記両側枠１，１に設けられた係止部４，４に係嵌する係合凸部５を有し、前記側枠１，１の少なくとも一方の係止部４には、側方突出するレバー６を備えて前記固定用枠３の係合凸部５に対して上下変位により係脱するロック部材７と、該ロック部材７をロック方向に付勢するばね部材８と、該ロック部材７のレバー６を前記固定用枠３に干渉する内向き突出状態から前方突出状態へ旋回可能に配置させるレバーガイド部９とが設けられ、前記レバーガイド部９は、内向き突出状態の前記レバー６を前記ばね部材８の付勢に抗して前記ロック部材７の非ロック位置で保持すると共に、前方突出状態の該レバー９を前記ロック部材７のロック位置と非ロック位置の間で上下変位可能とする形状を有してなる構成を採用したものである。
【０００６】
このような作業台では、左右の側枠１，１に対してステージ板２の両側縁が上下回動自在に枢着され、このステージ板２に固定用枠３が上下回動自在に枢着されているから、不使用時の持ち運びや搬送、保管に際し、固定用枠３をステージ板２の下面側に重ね、このステージ板２と両側枠１，１とを重ね合わせてコンパクトな折畳み形態にできる。そして、この折畳み形態より使用形態の作業台とするには、ステージ板２が水平になるように両側枠１，１を垂直に立て、ロック部材７のレバー６を内向き突出させた状態で、固定用枠３を垂下姿勢まで前方へ回動操作するだけでよい。
【０００７】
すなわち、レバー６の内向き突出状態ではロック部材７は非ロック位置に保持されているが、固定用枠３が前記回動操作によって垂下姿勢になる直前に該レバー６に衝当するため、該レバー６は前方突出状態へ旋回すると同時に、ばね部材８の付勢によって当該レバー６と一体にロック部材７がロック位置へ変位し、該ロック部材７と垂下姿勢になった固定用枠３の係合凸部５とが係合し、もって該固定用枠３が側枠１に回動不能に連結され、作業台は両側枠１，１が垂直でステージ板２が水平になった使用形態で強固に固定されることになる。
【０００８】
また、この使用形態から折畳み形態へ転換するには、前方突出状態のレバー６をばね部材８の付勢に抗して手でロック部材７の非ロック位置まで上下一方向に変位させれば、該ロック部材７と固定用枠３の係合凸部５との係合が解除するから、この状態で固定用枠３をステージ板２の下面側へ回動させて重ね合わせ、次いで該ステージ板２と両側枠１，１とを重ね合わせればよい。
【０００９】
請求項２の発明では、上記請求項１の折畳み式作業台において、左右両側枠１，１に前記のロック部材７とばね部材８とレバーガイド部９とを有する係止部４が設けられてなる構成であるから、使用形態から折畳み形態へ転換する際、固定用枠３と両側枠１，１との連結を外すために、左右の係止部４，４における前方突出状態のレバー６，６を同時に上下一方向に変位させる必要がある。従って、使用形態で偶然に一方のレバー６に物や他の作業者の身体が当たる等で、一方のロック部材７が非ロック位置に変位しても他方のロック部材７はロック状態を維持し、作業台は使用形態で安定に保たれることになる。
【００１０】
請求項３の発明では、上記請求項１又は２の折畳み式作業台において、ロック部材７が垂直に配置したロックピンからなり、固定用枠３の係合凸部５に該ロックピンの嵌入部５ａを有する構成であるから、ロック部材７が構造的に簡素であって、且つ嵌入部５ａへの嵌挿によって確実なロック状態が得られる。
【００１１】
請求項４の発明では、上記請求項１〜３の折畳み式作業台において、左右両側枠１，１の下部に両端をそれぞれ上下回動自在に連結する補強杆１２が、両側枠１，１の前後一端側のみに設けられた構成であるため、該補強杆１２によって作業台の使用形態の安定性が増す上、作業台の下部が平面視で前後一方向に開くコ字状となるから、作業位置にステージ板２の下部空間に収まり切れない長さで背の低い障害物があっても該障害物を跨ぐ形で作業台を設置でき、例えば洋式トイレ内で作業台を洋式便器上に跨ぐように設置して支障なく高所作業を行うことが可能となる。
【００１２】
請求項５の発明では、上記請求項１〜４の折畳み式作業台において、両側枠１，１のそれぞれ前後両側に枢支部材１３が内向きに突設され、これら枢支部材１３…を介して各側枠１とステージ板２の各側縁とが各側枠１のフレーム１０よりも内側で枢着されているから、折畳み形態で両側枠１，１間にステージ板２の配置間隔を確保でき、もって両側枠１，１とステージ板２とが互いに平行に重ね合わさった折畳み形態となし得る。
【００１３】
請求項６の発明では、上記請求項１〜５の折畳み式作業台において、折畳み状態で左右両側枠１，１を一体に係止固定する折畳み固定具１４を備えるため、運搬や保管の際に折畳み形態が崩れず取扱い性が良好となる。
【００１４】
請求項７の発明では、上記請求項６の折畳み式作業台において、折畳み固定具１４が、引き込み方向に付勢するばね部材１５を介してステージ板２に進退移動及び旋回自在に保持された基部１４ａに、両側枠１，１に対する係止部１４ｂ，１４ｂが一体形成されたものであるから、折畳み形態での両側枠１，１とステージ板２との固定及び固定解除の操作を、該折畳み固定具１４をばね力に抗して外方へ引っ張って９０度廻すだけで簡単に行えることになる。
【００１５】
請求項８の発明では、上記請求項１〜７の折畳み式作業台において、ステージ板２下面の左右両側に、前記折り重ね姿勢の固定用枠３を係脱可能に保持する弾性係止片３１，３１が突設されているから、折畳み形態から使用形態へ転換する際に、両側枠１，１の立設姿勢が定まらない内に固定用枠３が自重で回動して両側枠１，１や作業者の手に打ち当たったり、逆に使用形態から折畳み形態へ転換する際に固定用枠３が折畳み操作の邪魔になったりすることを回避できる。
【００１６】
請求項９の発明では、上記請求項１〜８の折畳み式作業台において、側枠１のロック機構を有する係止部４はロック部材７及びばね部材８を納めたケース１６を該側枠１のフレーム１０に固着して構成され、前記レバーガイド部９が前記ケース１６の内向き面１６ａより前側面１６ｂにわたる開口部よりなり、且つ該開口部９の上下縁の一方に前面側の上下幅を大とする段部１８が形成され、この段部１８によって、当該開口部９より突出したロック部材７のレバー６が内向き突出状態で非ロック位置に保持されると共に、前方突出状態で上下変位可能になるように設定されている。従って、ロック機構を有する係止部４を一体のユニットとして取り扱うことができ、作業台の組立製作が容易であると共に、ロック機構に不具合を生じた時の交換も可能であり、且つレバーガイド部９を開口部として容易に形成できる。
【００１７】
【発明の実施の形態】
以下に、本発明の一実施例に係る折畳み式作業台について、図面を参照しながら説明する。この折畳み式作業台は、図１〜図４に示す使用形態と図５に示す折畳み形態とに転換できるものであり、左右の側枠１，１と、これら両側枠１，１間に中間よりもやや上位に架設されたステージ板２と、該ステージ板２の前縁に枢着された固定用枠３と、両側枠１，１の下部間を連結する補強杆１２とから構成されている。なお、両側枠１，１、ステージ板２、固定用枠３、補強杆１２はいずれもアルミ製である。
【００１８】
両側枠１，１はそれぞれ、角パイプの曲げ加工によって水平杆部１０ａ及び前後の垂直脚杆部１０ｂ，１０ｃよりなる下向き開放コ字形に形成された主フレーム１０と、その両垂直脚杆部１０ｂ，１０ｃの下部に作業台内側へ突設された取付け部材１７，１７を介して、当該脚杆部１０ｂ，１０ｃ間に架設された角パイプ製の補強フレーム１１とからなる略矩形枠状をなす。そして、主フレーム１０は、水平杆部１０ａに係止ピン１９が上向きに突設されると共に、両垂直脚杆部１０ｂ，１０ｃに軸受としての枢支部材１３が作業台内側へ突設され、且つ前部の垂直脚杆部１０ｂの略中間高さに係止部４が設けてある。また補強杆１２は、その両端が補強フレーム１１，１１の前端部に上下回動自在に枢着連結されている。なお、ステージ板２と補強杆１２とは同じ左右幅を有するが、この左右幅よりも両者２，１２の上下方向の間隔が大きくなるように設定してある。
【００１９】
ステージ板２は、各側枠１の枢支部材１３，１３に両端を上下回動自在に枢着連結した左右一対の丸パイプ製側杆部２０，２０と、両側杆部２０，２０に両端を固着した前後の帯板状の固定踏み板２１，２２と、両固定踏み板２１，２２間に位置して両端部を側杆部２０，２０上に載置した分離型踏み板２３と、両側杆部２０，２０の前端部に両端を固着した固定用枠取付け杆２４とから構成されている。そして、固定用枠取付け杆２４は両端部が断面四角で中央部が断面円形のパイプよりなり、その中央部に枢着した側面視Ｌ字形のブラケット３０を介して、角パイプよりなるコ字形の固定用枠３がステージ板２に上下回動自在に保持されている。また各側杆部２０には下端に係止爪３１ａを有する板ばね材よりなる弾性係止片３１が垂設されており、両弾性係止片３１，３１によって、固定用枠３は図４の仮想線及び図６に示すようにステージ板２の下面側に重合した状態で係止されるようになっている。
【００２０】
なお、分離型踏み板２３の左右両端には両側杆部２０，２０を越えて外側へ張出する側縁部２３ａ，２３ａを有し、各側縁部２３ａの中央に側枠１の係止ピン１９と嵌合し得る係止孔２５が穿設されている。また該分離型踏み板２３の下面側には縦断面略Ｕ字形の保持部材２６が固着され、この保持部材２６の左右方向の長孔２６ａ，２６ａに挿通した太い針金状の繋ぎ金具２７の両端を、前後の固定踏み板２１，２２の下面に固着した軸支部材２８，２８に挿嵌することにより、該分離型踏み板２３がステージ板２の本体に繋ぎ止められている。
【００２１】
各側枠１の係止部４は、図７及び図８に詳細に示すように、内部に棒軸状のロックピン７とコイルスプリング８を納めた上下に長い角筒状のケース１６を、その平面視コ字枠状をなす背面側で主フレーム１０の前部垂直脚杆部１０ｂの内向き面（作業台の左右方向中央に臨む面）側に嵌合し、上下でリベット３２，３２にて固着することによって構成されている。しかして、ロックピン７は、ケース１６内の上部及び中間部のガイド壁２９ａ，２９ｂに上下部を挿通させて上下移動及び周方向回転自在に垂直配置すると共に、該ロックピン７の中間に側方突出状に固着されたレバー６と上部ガイド壁２９ａとの間に装填されたコイルスプリング８によって下降側に付勢されている。
【００２２】
またケース１６には、その中間高さに位置して内向き面１６ａから前側面１６ｂにわたるレバー用開口部９と、下部に位置して内向き面１６ａから後側面１６ｃにわたるロック用開口部３３とが形成されている。レバー用開口部９は、ロックピン７のレバー６を外方突出させるレバーガイド部を構成しており、その下縁の段部１８により、内向き面１６ａ側の後方半部が上下幅の小さい待機部９ａ、これより前方側が上下幅の大きい上下操作部９ｂとなっている。
【００２３】
しかして、レバー６は待機部９ａにおいては内向きに突出すると共に、上下操作部９ｂにおいては前方へ突出するが、該レバー６の内向き突出状態ではロックピン７がコイルスプリング８の付勢に抗して上昇した非ロック位置に保持される一方、該レバー６の前方突出状態では該ロックピン７がコイルスプリング８の付勢を受けて下降したロック位置に来ると共に、このロック位置において下降したロックピン７の下端部がロック用開口部３３の内側に突出して、且つ該開口部３３よりやや低位の下部ガイド壁２９ｃの透孔３４に突入するように設定されている。また、レバー６の内向き突出状態では、当該レバー６が回動する固定用枠３の各側片３ａと干渉するように位置設定されている。
【００２４】
固定用枠３の両側片３ａ，３ａにはそれぞれ、互いに対向する側とは反対の外向き面に略コ字形の係止金具５０を固着することにより、上下方向の透孔よりなる嵌入部５ａを有する係合凸部５が外向きに突設されている。この係合凸部５は、該固定用枠３が垂下姿勢にあるとき、側枠１の係止部４におけるロック用開口部３３に嵌合すると共に、該嵌合状態においてロックピン７が嵌入部５ａに挿嵌し得るように設定されている。なお、ロック用開口部３３の前縁部３３ａは、係合凸部５との当接によって該固定用枠３の垂下姿勢よりも前方への回動を阻止するストッパーとして機能する。
【００２５】
一方、ステージ板２の後部の固定踏み板２２の後側縁には、折畳み形態において左右両側枠１，１を一体に係止固定するための折畳み固定具１４が設けてある。この折畳み固定具１４は、図１１及び図１２に詳細に示すように、ボルト状の基部１４ａの先端に、一対のコ字形の係止部１４ｂ，１４ｂを有する押さえ金具４０が中央部でナット４１を介してねじ止め一体化されたものであり、固定踏み板２２の中空縁枠部２２ａとその外側に固着した箱状の受け金具３５とに基部１４ａを遊嵌状態に貫通して、該基部１４ａの末端のボルト頭部４２と中空縁枠部２２ａとの間にコイルスプリング１５を介在させることにより、そのばね力によって引き込み方向に付勢された状態で固定踏み板２２に保持されている。
【００２６】
上記構成の折畳み式作業台は、図５に示す折畳み形態において、ステージ板２の両側に、両側枠１，１が両水平杆部１０ａ，１０ａを同じ側にして重ね合わされ、この状態で折畳み固定具１４の係止部１４ｂ，１４ｂが両側枠１，１の後部の垂直脚杆部１０ｃ，１０ｃに外嵌合している。なお、固定用枠３はステージ板２の下面側に重合した状態で弾性係止片３１，３１を介して係止されている。
【００２７】
この場合、ステージ板２の両側縁が両側枠１，１に内向きに突設された枢支部材１３…を介して各側枠１の主フレーム１０よりも内側で枢着されているから、上記折畳み形態では、両側枠１，１間にステージ板２の配置間隔が確保され、もってステージ板２が斜めにならずに両側枠１，１と平行に重ね合わさり、すっきりした良好な外観を呈する。なお、両側枠１，１の前端下部に連結した補強杆１２は、主フレーム１０よりも内側で枢着され、且つその左右幅よりも使用形態におけるステージ板２との上下間隔が大きいため、折畳み形態ではステージ板２と重ならずに直線的に配置している。しかして、折畳み固定具１４によって両側枠１，１とステージ板２とは開離不能に固定されているから、これらが運搬や保管中に不用意に拡開する懸念はない。
【００２８】
この折畳み式作業台を上記の折畳み形態から使用形態に転換するには、まず図３及び図１２の仮想線に示すように、折畳み固定具１４をコイルスプリング１５の付勢に抗して外側へ引っ張り出し、係止部１４ｂ，１４ｂが両側枠１，１の垂直脚杆部１０ｃ，１０ｃから外れた状態で９０度旋回させ、もって両側枠１，１とステージ板２とを拡開可能とする。なお、旋回させた折畳み固定具１４は、コイルスプリング１５の蓄力により、図１１の仮想線の如く押さえ金具４０が受け金具３５上に被さった状態で保持される。
【００２９】
次に、両側枠１，１とステージ板２を拡開して、図６に示すように、両側枠１，１が垂直になる状態で所要位置に置くと共に、左右のレバー６，６を内向き突出状態にセットした後、ステージ板２の下面に重合している固定用枠３を手前へ引いて限界まで前方回動させるだけで、自動的に該固定用枠３と両側枠１，１の前部の垂直脚杆部１０ｂ，１０ｂとが自動的に連結固定され、もって図１に示す使用形態となる。
【００３０】
すなわち、図７及び図８に示すように、レバー６が内向き突出状態にあるときには、ロックピン７はコイルスプリング８の付勢に抗して上昇した非ロック位置に保持され、ロック用開口部３３から退避している。しかるに、固定用枠３を手前へ引いて限界位置まで回動させると、図９及び図１０の実線から仮想線の状態への移行で示されるように、固定用枠３が垂下姿勢になる直前に内向き突出しているレバー６に当たり、これによって該レバー６は９０度旋回して前方突出状態になると同時に段部１８から外れて上下操作部９ｂに移行するため、コイルスプリング８の蓄力によりロックピン７がレバー６と一体に下降し、下端がロック用開口部３３へ突出するが、この時には固定用枠３の係合凸部５がロック用開口部３３に嵌入して前縁部３３ａに当接しているため、その嵌入部５ａにロックピン７の下端が挿嵌し、もって固定用枠３と両側枠１，１が連結固定され、作業台全体が一体化して安定した強固な使用形態となり、ステージ板２の上に作業者が乗ってもがた付きを生じず、所要の高所作業を安全に行うことができる。
【００３１】
しかして、この作業台では、両側枠１，１の下部間を連結する補強杆１２が前端側のみに設けてあり、ステージ板２の下方空間が後方側に対して完全に開放していることから、作業位置の床面や地面に、ステージ板２の下部空間に収まり切れない長さで背の低い障害物があっても、該障害物を跨ぐ形で作業台を設置できる。従って、例えば洋式トイレ内での作業では、洋式便器が水タンクに一体化したものであっても、その弁座部を跨ぐように作業台を設置して支障なく高所作業を行える。
【００３２】
また、この作業台では、左右両側枠１，１にレバー６付きのロック部材７とコイルスプリング８とレバー用開口部９とを有する係止部４が設けられているから、使用形態から折畳み形態へ転換する際には、固定用枠３と両側枠１，１との連結を外すために、左右の係止部４，４における前方突出状態のレバー６，６を同時に上方へ持ち上げて両ロックピン７，７を係合凸部５の嵌入部５ａから離脱させ、この状態で固定用枠３を後方へ回動させることになる。従って、使用形態において、偶然に一方のレバー６に物や他の作業者の身体が当たる等で、一方のロック部材７が非ロック位置に変位しても他方のロック部材７はロック状態を維持し、作業台は使用形態で安定に保たれることになる。
【００３３】
更に、この作業台では、ステージ板２の一部ａを構成する分離型踏み板２３を該ステージ板２の固定部分より離脱させて、図１３に示すように、延出側縁部２３ａ，２３ａを両側枠１，１の水平杆部１０ａ，１０ａ上に載せ、係止孔２５，２５に係止ピン１９，１９を嵌合させることにより、低位の固定踏み板２１，２２と高位の分離型踏み板２３との高低２段の作業ステージを確保できる。なお、この高位に設定した分離型踏み板２３は、係止孔２５，２５と係止ピン１９，１９の嵌合によって位置ずれする恐れがないと共に、繋ぎ金具２７にてステージ板２本体と繋がっているために散逸することもない。
【００３４】
本発明の折畳み式作業台は、上記実施例の構造に制約されるものではなく、側枠１，ステージ板２、固定用枠３の形状や相互の枢着構造、係止部４におけるロック部材の形状及びレバーガイド部の構造、固定用枠３における係合凸部５の構造、折畳み固定具１４の形状及び取付け位置等、細部構成については実施例以外に種々設計変更可能である。例えば、ロック部材としてロックピン７を用いる場合に、ロック状態で実施例とは逆に上方へ突出する構成としたり、係合凸部５の嵌入部５ａをロックピン７が挿嵌し得る上下方向の溝としてもよい。また係合凸部５を平面視Ｌ字形としてケース１６の後側面に臨む開口部に先端が嵌入する構成としたり、ケース１６を用いずに係合凸部５との嵌合部やレバーガイド部を開口部以外の適当な構造によって形成することも可能である。更に、ステージ板２の全体を一体物としたり、側枠１，１の頂部にステージ板２を枢着したり、補強杆１２を両側枠１，１の後端側に設けてもよい。
【００３５】
【発明の効果】
請求項１の発明によれば、折畳み式作業台として、不使用時の持ち運びや搬送、保管に際して嵩張らないコンパクトな折畳み形態にできると共に、この折畳み形態より使用形態への転換操作を極めて容易に行え、しかも該転換操作において固定用枠を垂下姿勢まで前方へ回動するだけで、自動的に該固定用枠と両側枠とが連結固定され、作業台全体が強固でがた付きのない安定した使用形態となり、ステージ板状に作業者が乗って安全に高所作業を行える上、構造的に簡素で安価に製作できるものが提供される。
【００３６】
請求項２の発明によれば、上記の折畳み式作業台として、固定用枠の係合凸部に係合させるレバー付きのロック部材とばね部材及びレバーガイド部を有する係止部が、左右両側枠に設けられていることから、使用形態で偶然に一方のレバーに物や他の作業者の身体が当たる等で、一方のロック部材が非ロック位置に変位しても、他方のロック部材がロック状態を維持するため、使用形態における固定用枠と両側枠との連結が不用意に外れる懸念がなく、もって安全性のより高いものが提供される。
【００３７】
請求項３の発明によれば、上記の折畳み式作業台として、側枠の係止部と固定用枠の係合凸部とのロック機構が簡素であり、それだけ安価に製作できる上に確実なロック状態が得られるものが提供される。
【００３８】
請求項４の発明によれば、上記の折畳み式作業台として、左右両側枠の下部間を連結する補強杆が、両側枠の前後一端側のみに設けられた構成であるため、該補強杆によって使用形態の安定性が増す上、作業台の下部が平面視で前後一方向に開くコ字状となるから、作業位置にステージ板の下部空間に収まり切れない長さで背の低い障害物があっても該障害物を跨ぐ形で設置でき、例えば洋式トイレ内の作業において洋式便器上に跨ぐように作業台を設置して支障なく高所作業を行えるものが提供される。
【００３９】
請求項５の発明によれば、上記の折畳み式作業台として、両側枠のそれぞれ前後両側に内向きに突設された枢支部材を介して、各側枠とステージ板の各側縁とが各側枠のフレームよりも内側で枢着されているから、折畳み形態において両側枠とステージ板とが互いに平行に重ね合わさり、すっきりした良好な外観を呈するものが提供される。
【００４０】
請求項６の発明によれば、上記の折畳み式作業台として、折畳み状態で左右両側枠を折畳み固定具にて一体に係止固定できるため、運搬や保管の際に折畳み形態が崩れず、取扱い性に優れるものが提供される。
【００４１】
請求項７の発明によれば、上記の折畳み固定具を有する折畳み式作業台として、折畳み形態での両側枠とステージ板との固定及び固定解除の操作が、ステージ板に保持された折畳み固定具を外方へ引っ張って９０度廻すだけで簡単に行えるものが提供される。
【００４２】
請求項８の発明によれば、上記の折畳み式作業台として、弾性係止片を介してステージ板下面に固定用枠を折り重ね姿勢で係止できるため、折畳み形態から使用形態へ転換する際、両側枠の立設姿勢が定まらない内に固定用枠が自重で回動して両側枠や作業者の手に打ち当たったり、逆に使用形態から折畳み形態へ転換する際に固定用枠が折畳み操作の邪魔になったりすることを回避でき、より操作性に優れるものが提供される。
【００４３】
請求項９の発明によれば、上記の折畳み式作業台として、側枠のロック機構を有する係止部が一体のユニットとして構成されているため、作業台の組立製作が容易であると共に、ロック機構に不具合を生じた時の交換も可能であり、且つレバーガイド部を開口部として容易に形成でき、それだけ安価に製作及び組立を行えるものが提供される。
【図面の簡単な説明】
【図１】  本発明の一実施例に係る折畳み式作業台の使用形態の斜視図。
【図２】  同作業台の使用形態における正面図。
【図３】  図２のＡ−Ａ線の断面矢視図。
【図４】  図２のＢ−Ｂ線の断面矢視図。
【図５】  同作業台の折畳み形態における斜視図。
【図６】  同作業台における両側枠と固定用枠との連結前の斜視図。
【図７】  同作業台における両側枠と固定用枠との連結動作を示す要部の拡大斜視図。
【図８】  同作業台における側枠の係止部近傍の縦断側面図。
【図９】  図７におけるレバー位置での横断平面図。
【図１０】  図７におけるロック用開口部位置での横断平面図。
【図１１】  同作業台の折畳み形態における折畳み固定具の取付け部分の正面図。
【図１２】  図１１のＣ−Ｃ線の断面矢視図。
【図１３】  同作業台のステージ部を２段構成とした使用形態の斜視図。
【符号の説明】
１      側枠
２      ステージ板
３      固定用枠
４      係止部
５      係合凸部
６      レバー
７      ロックピン（ロック部材）
８      コイルスプリング（ばね部材）
９      レバー用開口部（レバーガイド部）
１０    主フレーム
１１    補強フレーム
１２    補強杆
１３    枢支部材
１４    折畳み固定具
１４ａ  基部
１４ｂ  係止部
１５    コイルスプリング（ばね部材）
１６    ケース
１６ａ  内向き面
１６ｂ  前側面
１８    段部
３１    弾性係止片
３３    ロック用開口部
【図１】
0003850070.tif 000002
【図２】
0003850070.tif 000003
【図３】
0003850070.tif 000004
【図４】
0003850070.tif 000005
【図５】
0003850070.tif 000006
【図６】
0003850070.tif 000007
【図７】
0003850070.tif 000008
【図８】
0003850070.tif 000009
【図９】
0003850070.tif 000010
【図１０】
0003850070.tif 000011
【図１１】
0003850070.tif 000012
【図１２】
0003850070.tif 000013
【図１３】
0003850070.tif 000014